(57)【特許請求の範囲】
【請求項１】
５２５本又は６２５本の線規格に従ってビデオ同期信号の線数を自動的に認識して、適切な線数の一つに相応する制御信号を自動的に発生するための回路装置であって、水平周波数の同期パルス信号は、主同期パルス発生器（５）から、ＰＬＬ（フエーズロックループ）（１２）を介して導出され、該ＰＬＬのフィードバック内には、プログラム可能な分周器（１３）が設けられている回路装置において、
線カウンタ（１４）と、デコーディング段（１５）と、信号評価回路（１６）とが設けられており、
前記線カウンタ（１４）は、ＰＬＬ（１２）から導出された水平周波数同期パルス信号でクロック同期されて、前記線カウンタ（１４）によって、フレーム周波数同期パルス信号がリセット信号として受信され、
前記デコーディング段（１５）は、前記線カウンタ（１４）の出力側に接続されていて、前記デコーディング段（１５）によって、現在の線規格を維持するのか、又は切り換えるのかを示す信号と、切り換えが実現された後の新たな線規格を示す信号とが供給され、
前記信号評価回路（１６）は、前記デコーディング段（１５）の出力側に接続されていて、前記信号評価回路（１６）によって、これまで使用されていた線規格に相応する制御信号、又は、切り換えられたことが認識された後の新たな線規格に相応する制御信号が供給される
ことを特徴とするビデオ同期信号の線数を自動的に認識するための回路装置。
【請求項２】
切り換えの認識後、信号評価回路（１６）によって、複数フレーム後迄、新たな線規格に相応する制御信号が供給されない
請求項１記載の回路装置。
【請求項３】
信号評価回路（１６）は、ｍ−ビットカウンタ（２５）を有しており、該ｍ−ビットカウンタ（２５）によって、現在の線規格が維持される場合、各フレーム周波数同期パルス信号でリセットパルスが受信され、線規格が切り換えられる場合、フレーム周波数同期パルスがクロックパルスとして供給され、該クロックパルスは、前記ｍ−ビットカウンタが、２ｍ−１本のフレーム後、それ自身のリセット用信号（ＴＣ）を発生する迄、連続して複数フレームの間、発生され続ける
請求項１記載の回路装置。
【請求項４】
線規格の可能な切り換えを示すデコーディング段（１５）からの出力信号が、フレーム周波数同期パルスでクロック同期された第１Ｄ−レジスタ（２１）に供給され、該第１Ｄ−レジスタ（２１）の出力側は、ＡＮＤ回路（２３）の一方の入力側に接続されており、前記第１Ｄ−レジスタ（２１）の他方の入力側には、フレーム周波数同期パルス信号が供給され、線規格の切り換え後、フレーム周波数クロックパルスがｍ−ビットカウンタ（２５）に発生され、前記第１Ｄ−レジスタ（２１）の出力側は、別のＡＮＤ回路（２４）の反転入力側に接続されており、前記別のＡＮＤ回路（２４）の他の非反転入力側には、前記フレーム周波数同期パルス信号が供給され、これまで使用されていた線規格が維持される場合、フレーム周波数リセットパルスが発生される
請求項１記載の回路装置。
【請求項５】
新たな線規格を特徴付ける、デコーディング段（１５）からの出力信号は、フレーム周波数同期パルスでクロック同期される第２Ｄ−レジスタ（２２）に供給され、該第２Ｄ−レジスタ（２２）の出力側は、ｍ−ビットカウンタ（２５）の出力パルスでクロック同期される第３Ｄ−レジスタ（２６）の入力側に接続されており、適切な線規格に相応する制御信号は、前記第３レジスタ（２６）の出力側（１７）から供給することができる
請求項１記載の回路装置。
【請求項６】
同期信号がない場合、同期状態信号がリセット信号として第１Ｄ−レジスタ（２１）に供給される
請求項４記載の回路装置。
【請求項７】
フレーム周波数同期パルス信号に加えて、線カウンタ（１４）それ自体によって発生されたリセット信号（ＴＣ）が、リセット信号として前記線カウンタ（１４）に組合せ回路（１８）を介して供給される
請求項１記載の回路装置。
【請求項８】
信号評価回路（１６）は、マルチプレクサ（２８）を有しており、該マルチプレクサの第１の入力側は、第２Ｄ−レジスタ（２２）からの出力信号を受信し、前記マルチプレクサの第２の入力側は、予め設定された線規格に相応する信号を受信し、同期信号がない場合に発生される同期状態信号が前記マルチプレクサ（２８）の制御入力側に供給される
請求項６記載の回路装置。
【請求項９】
制御信号は、規格状態信号として、線カウンタ（１４）並びにパイクセルカウンタ（１３）に供給される
請求項１記載の回路装置。
【発明の詳細な説明】
【０００１】
【発明の属する技術分野】
本発明は、５２５本又は６２５本の線規格に応じてビデオ同期信号の線数を自動的に認識して、適切な線数の一つに相応する制御信号を自動的に発生するための回路装置であって、水平周波数の同期パルス信号は、主同期パルス発生器から、ＰＬＬ（フエーズロックループ）を介して導出され、該ＰＬＬのフィードバック内には、プログラム可能な分周器が設けられている、ビデオ同期信号の線規格（線数）を自動的に認識するための回路装置に関する。
【０００２】
現在、通常用いられているカラーテレビ装置では、主として２つの異なった線規格が世界的に使用されている。即ち、５２５本の走査線（３０（又は２９．９７）Ｈｚのフレーム周波数）及び６２５本の走査線（２５Ｈｚのフレーム周波数）である。ポスト−プロダクションテレビスタジオは、一般にテレシネスキャナー、ビデオレコーダ、色補正装置、ビデオミキサー、等のようなテレビ装置を、異なったカラーテレビ規格、即ち、５２５本及び６２５本で使用している。走査線数を切り換えた場合に、テレビスタジオの主同期パルス発生器に接続された全てのテレビ装置を個別に切り換えなければならないという状態になるのを阻止するためには、同期パルスが発生された場合に、主同期パルス発生器で同期された全てのテレビ装置を同時に且つ自動的に新たな走査線数に適合させるように、走査線数（線数）だけを切り換えるのが望ましい。画像ドロップアウトを回避するためには、かなり高い程度、妨害の影響を受けないようにする必要がある。
【０００３】
異なった線規格（５２５本／６２５本の走査線）を自動的に認識するための回路は、米国特許第４４０２０１１号から公知であるが、この回路は、特に国内使用用のテレビ受像機用のものである。この場合、固定設定された単一水平周波数発振器しか、線カウンタ用同期発生器として設けられていない。
【０００４】
【発明が解決しようとする課題】
それに対して、本発明の課題は、冒頭に記載した形式の装置を、殊にテレビスタジオ内のテレビ装置用に適していて、周波数トラッキングされたクロック同期パルスから導出された水平周波数によって、定格値から所定量だけ偏移することができるようにすることにある。
【０００５】
【課題を解決するための手段】
この課題は、本発明によると、線カウンタと、デコーディング段と、信号評価回路とが設けられており、線カウンタは、ＰＬＬから導出された水平周波数同期パルス信号でクロック同期されて、線カウンタによって、フレーム周波数同期パルス信号がリセット信号として受信され、デコーディング段は線カウンタの出力側に接続されていて、デコーディング段によって、現在の線規格を維持するのか、又は切り換えるのかを示す信号と、切り換えが実現された後の新たな線規格を示す信号とが供給され、信号評価回路は、前記デコーディング段の出力側に接続されていて、信号評価回路によって、これまで使用されていた線規格に相応する制御信号、又は、切り換えられたことが認識された後の新たな線規格に相応する制御信号が供給されるるようにして解決される。
【０００６】
【発明の実施の形態】
従属請求項に記載された手段によって、請求項１に記載された回路装置を有利に実施及び改善することができる。特に有利には、切り換えの認識後、広範な妥当性テストの後迄、新たな線規格に相応する制御信号が信号評価回路によって供給されない。
【０００７】
【実施例】
図１には、テレビプロダクションスタジオ内に一般に設けられている複数のテレビ装置のブロック図が示されており、例えば、テレシネスキャナー１，色補正装置２，ビデオ信号ミキサー３，ビデオレコーダ４等のようなテレビ装置であり、これら全ての各装置は、主同期パルス発生器５によってテレビ同期信号が供給されている。この発生器５は、異なったカラーテレビ装置の場合に、５２５本の走査線と６２５本の走査線の２つの線規格の間をスイッチ６を用いて切り換えることができる。これまで、発生器５に接続されたどんな操作的なテレビ装置でも、選択された線規格に別個に切り換える必要があった。今では、この切り換えは、これら各装置１〜４のそれぞれに設けられた、本発明の回路装置を用いて、完全に自動的に行うことができる。同期信号がドロップアウトした場合には、別の線規格スイッチ７が、テレシネスキャナー１での安全のために設けられている。
【０００８】
図２には、本発明の走査線数認識用回路装置１０のブロック図が示されており、この回路装置は、主同期パルス発生器５に接続されている。この回路装置は、同期パルス信号分離用回路１１を有しており、この回路１１の出力側からは、水平周波数同期パルス信号Ｈ及びフレーム周波数同期パルス信号２Ｖを供給することができる。水平周波数同期パルス信号Ｈは、フィードバック内にプログラム可能分周器１３としてパイクセルカウンタを有するフェーズロックループ１２に供給される。フェーズロックループ（ＰＬＬ）１２は、水平周波数パルス信号ｆＨをクロック信号として線カウンタ１４に供給し、その結果、各線が所定カウントに関係付けられる。更に、線カウンタ１４は、このカウンタを所定の初期値にリセットするために２Ｖパルスを受け取る。この初期値は、関連のテレビ規格（５２５本の走査線又は６２５本の走査線）に依存し、リセット以前は、全ての規格に等しいカウントであるように選定されている。アップカウンタが使用された場合、全てのビットが１に等しいということであり、ダウンカウンタが使用された場合、全てのビットが０に等しいということである。この最終状態が達成されると、カウンタ自体がリセット信号（通常のようにＴＣ（ターミナルカウント）と称される）を発生する。それから、線カウンタ１４のｎビット幅出力信号（ここではｎ＝１０）が、デコーディング段１５に供給される。
【０００９】
上述のように、線カウンタ１４に供給される水平周波数クロック信号ｆＨは、フェーズロックループ１２内に設けられていて外部Ｈ信号に結合された発振器ＶＣＯから得られるので、フェーズロックループ１２は、基準信号として使われるＨ信号が切り換わる際に依然として非同期状態であって、その結果、クロック信号ｆＨは、実際の水平周波数に関して周波数偏差を有していることもある。従って、デコーディング段１５は、理論値からの若干の偏差を許容すべきであり、即ち、凡そゼロのサンプル値は、線規格の切り換えをトリガすべきではないのである。
【００１０】
後述のように、ダウンカウンタを用いるためには、本発明の回路装置の内部モードが、供給された同期信号の規格に相応する場合、次のリセットパルス以前のカウントはゼロである。内部モードは、６２５本の走査線にも拘わらず、供給された同期信号は、５２５本の走査線である場合には、次のリセットパルス時点で、カウントは、ほぼ１００である。逆の場合、つまり、内部モードは、５２５本の走査線であるが、供給された信号は、６２５本の走査線である場合、線カウンタ１４は、次のリセットパルス以前に既に位置０に達してしまい、従って、内部的には、ＴＣで再ロードそれる。従って、次の外部ロードパルス時点でのカウントは、ほぼ４２５である。
【００１１】
線規格の切り換えを行うべきであるかどうかを決定するために、デコーディング段１５に供給されたカウントは、リセット以前に検査され、そのために、容易に評価することができる次のような指示器が使用される。
【００１２】
ビット５及びビット６が０に等しいか、又は、ビット９が１に等しく、且つ、ビット８が０に等しい場合、正しいモードが選択されており、さもない場合、このモードが再度セットされる必要がある。この検査の結果は、デコーディング段１５の出力側から、線規格を維持又は切り換えるために信号レベル０又は１として取り出すことができる。線規格の切り換えが確認されたならば、ビット８は、設定されるべき線規格に基づいて検査され、そこでは、外部２Ｖリセットパルスの瞬間に、ビット８が０である場合に５２５本の走査線モードが設定され、他方、反対の場合には、この瞬間にビット８が１に等しい場合、６２５本の走査線モードが選択される。この信号は、デコーディング段１５の他の出力側から取り出すことができる。これら２つの出力信号は、次に、図３に示されているような信号評価回路２６に供給され、この信号評価回路は、出力側１７を有しており、この出力側１７から、最終的に、自動的に設定された線規格を示す制御信号を供給することができ、レベル０では、例えば、５２５本の線規格用の信号が発生され、レベル１では、６２５本の線規格用の信号が発生される。それから、この制御信号は、各テレビ装置内の線規格を発生するソフトウェアに供給される。
【００１３】
図３には、図２の信号評価回路１６が詳細に示されている。フレーム周波数パルスでクロック同期される第１Ｄ−レジスタ２１が設けられており、このレジスタは、線規格の可能な切り換えを示すデコーディング段１５からの出力信号Ｗを受信するＤ−入力側を有している。また、フレーム周波数パルスでクロック同期される第２Ｄ−レジスタ２２のＤ−入力側は、新たな線規格を示すデコーディング１５からの出力信号Ｎを受け取る。第１Ｄ−レジスタ２１の出力側は、ＡＮＤ回路２３の一方の入力側及び別のＡＮＤ回路２４の反転入力側に接続されており、フレーム周波数同期パルス信号は、ＡＮＤ回路２３及び２４の他方の入力側に入力されている。従って、デコーディング段１５が、「規格切り換え」信号を第１Ｄ−レジスタ２１に供給して、この第１Ｄ−レジスタ２１の出力信号がフレーム周波数パルスの立ち上がり区間で標本化されて、Ｄ−レジスタ２１に記憶された場合、フレーム周波数同期パルスは、常に、ＡＮＤ回路２３の出力側に発生される。従って、線規格の切り換えを示す信号が発生された場合、フレーム周波数パルス信号が、ＡＮＤ回路２３によって供給され、この信号は、クロックパルスの形式でｍ−ビットカウンタ２５に供給される。デコーディング段１５によって供給される信号が、線規格を切り換えるべきではないということを示す場合、ｍ−ビットカウンタ２５用のリセットパルスが、ＡＮＤ回路２４によって各フレーム周波数パルスで発生される。切り換え過程が、同期信号の何らかの妨害によってトリガされないようにするためには、切り換え条件は、複数の連続フレーム内で満たされるべきである。従って、ｍ−ビットカウンタ２５が、その最大値に達して、このカウンタによって発生された信号ＴＣが１に等しいようにするためには、線規格を切り換えるための信号は、連続して２ｍ−１個のフレームに対して１に等しくすべきである。このカウントから、第３Ｄ−レジスタ２６用のクロックパルスが発生され、その際、この第３Ｄ−レジスタ２６により、第２Ｄ−レジスタ２２によって供給された規格認識値が記憶される。それから、所望の制御信号を、第３Ｄ−レジスタ２６の出力側１７から取り出すことができる。
【００１４】
外部同期信号が万が一ドロップアウトした場合には、フレーム周波数パルスは、最早供給されない。その際、ｍ−ビットカウンタ２５は、クロックパルスも、記憶されたままの最後の規格として認識された線規格も何等最早受け取らない。外部同期信号が再度供給された場合に、指示された線規格が万が一不所望に切り換えられて、何らかの妨害となることがあるならば、外部同期信号が欠落している限り、リセット信号が第１Ｄ−レジスタ２１のリセット入力側（クリア）に供給される。このために、同期信号がある場合に、レベル０の信号が入力側２７に入力され、同期信号がドロップアウトした場合に、レベル１の信号が入力される。
【００１５】
本発明の別の実施例では、マルチプレクサ２８が設けられて、第２Ｄ−レジスタ２２からの出力信号と、例えば、テレシネスキャナー１で供給されるような、予め設定された線規格とが受け取られる。入力側２７に入力されて、マルチプレクサ２８の制御入力側に供給される同期状態信号を用いて、マルチプレクサ２８は、これら２つの供給信号間で切り換えられ得る。
【００１６】
前述のように、本発明によると、故障に対して極めて大きな許容偏差値が得られる。一方では、切り換え過程をトリガするように、所定数の連続周期（フレーム）後迄、他の規格は認識されない。他方、回路装置が作動状態にならなければ、水平周波数は、定格値から所定量だけずれることがあるという点について付加的に注意すべきである。この点は、重要である。と言うのは、スタジオ装置では、パイクセルクロック、水平周波数パルス、垂直周波数パルス、フレーム周波数パルスは、分周によって、同じ発振器から導出されるからである。これらの分周器は全て、テレビ規格に依存して異なってプログラムされる必要がある。従って、回路構成が適切でない規格で作動される場合、周波数は全て、定格値からずれる。実際、誤った規格が、図２及び図３で破線で示されている接続線３０を介して指示されている限り、線カウンタ１４のみならず、パイクセルカウンタ１３も、誤った値で作動する。その結果、発生された水平周波数ｆＨは、定格値からずらされて、フェーズロックループがロックすることができないようになる。切り換え作動が実行される後迄、同期回路は、再度正確に作動することができない。
【００１７】
【発明の効果】
本発明による回路装置は、同期パルス発生器に接続されたテレビ装置の妨害の影響を殆ど（相当高い程度）受けないという効果を有している。この効果は、スタジオオペレーションでは非常に重要であり、殊に、ポストプロダクションオペレーション用に用いられるテレビ装置では、なおのことである。と言うのは、万が一妨害によって線規格の切り換えが生じると、膨大なプロダクションコストが生じてしまい、ユーザは、とても許容し得ないものであるからである。しかも、本発明の回路装置は、僅かな構成部品数しか必要としない。と言うのは、テレビ装置の同期結合器内に既に設けられている各回路部品（パイクセルカウンタ、線カウンタ等）を、本発明の回路装置用に使用することができるからである。
【図面の簡単な説明】
【図１】テレビプロダクションスタジオ内に設けられている各テレビ装置のブロック図
【図２】本発明の回路装置のブロック図
【図３】本発明の信号評価回路のブロック図
【符号の説明】
５  主同期パルス発生器
１２  ＰＬＬ
１３  プログラム可能分周器
１４  線カウンタ
１５  デコーディング段
１６  信号評価回路
２１  第１Ｄ−レジスタ
２３  ＡＮＤ回路
２４  ＡＮＤ回路
２５  ｍ−ビットカウンタ
２６  第３Ｄ−レジスタ
２８  マルチプレクサ
【図１】
0003654549.tif 000002
【図２】
0003654549.tif 000003
【図３】
0003654549.tif 000004